(57)【要約】【課題】所望の色度の白色ＬＥＤを用いなくても所望の色度の白色光を出射できる発光装置を提供する。【解決手段】板状の導光体３６の側面にＬＥＤ４０を備えた光源部３３を配置する。ＬＥＤ４０は出射する光が白色の白色ＬＥＤ４０ａと出射する光が青色の青色ＬＥＤ４０ｂとからなる。白色ＬＥＤ４０ａの出射する光が、導光体３６の出射面３６ａから出射する光の目標とする色度と比べて黄色がかかっている場合、青色ＬＥＤ４０ｂの発光を強めるように制御する。【選択図】図２
2008153039.tif 000002
【特許請求の範囲】
【請求項１】
ＬＥＤと、前記ＬＥＤの発光を制御する制御装置とを備え、出射光が白色である照明装置において、
前記ＬＥＤが白色ＬＥＤと、青色ＬＥＤとからなり、前記制御装置は前記白色ＬＥＤと前記青色ＬＥＤの発光を独立して制御することが可能であることを特徴とする照明装置。
【請求項２】
前記白色ＬＥＤと前記青色ＬＥＤとを隣接して配置することを特徴とする請求項１に記載の照明装置。
【請求項３】
ＬＥＤと、前記ＬＥＤの発光を制御する制御装置とを備え、出射光が白色である照明装置において、
前記ＬＥＤが白色ＬＥＤチップと青色ＬＥＤチップとを備え、前記制御装置は前記白色ＬＥＤチップと前記青色ＬＥＤチップの発光を独立して制御することが可能であることを特徴とする照明装置。
【請求項４】
前記ＬＥＤが前記白色ＬＥＤチップと前記青色ＬＥＤチップとを囲む枠体を備え、前記枠体が前記白色ＬＥＤチップと前記青色ＬＥＤチップとを区分する仕切りを有することを特徴とする請求項３に記載の照明装置。
【請求項５】
側面から入射した光を出射面から出射する板状の導光体を備え、前記ＬＥＤが前記導光体の側面に列状に配置されたことを特徴とする請求項１から４のいずれかに記載の照明装置。
【請求項６】
前記ＬＥＤが平面状に配置されたことを特徴とする請求項１から４のいずれかに記載の照明装置。
【請求項７】
前記出射光の色度を測定する色測定装置を備え、前記色測定装置の出力に基づいて前記制御装置が前記ＬＥＤの発光を制御することを特徴とする請求項１〜６のいずれかに記載の照明装置。
【請求項８】
液晶パネルと、前記液晶パネルの背面に配置された請求項１〜７のいずれかに記載の照明装置とを備えていることを特徴とする液晶表示装置。
【発明の詳細な説明】
【技術分野】
【０００１】
本発明は液晶表示装置にバックライトとして用いられる照明装置およびこれを備えた液晶表示装置に関する。
【背景技術】
【０００２】
近年、表示装置として、ＣＲＴ（Ｃａｔｈｏｄｅ  Ｒａｙ  Ｔｕｂｅ；陰極線管）よりも薄い、液晶パネルを用いた液晶表示装置が広く用いられるようになっている。液晶パネルは、それ自体は発光しないため、外光または液晶パネルの背面に配置した照明装置（バックライトユニット）から光を照射して画像を表示する。
【０００３】
液晶表示装置に用いられるバックライトユニットの光源として、従来冷陰極管が用いられているが、最近ＬＥＤ（Ｌｉｇｈｔ  Ｅｍｉｔｔｉｎｇ  Ｄｉｏｄｅ；発光ダイオード）も用いられ始めている。ＬＥＤランプを光源とする照明装置では、白色ＬＥＤが使用される。
【０００４】
白色ＬＥＤは、製造する際に各個体の発光色のばらつきを抑えることが困難であるため、製造してできあがったものを実際の発光色で選別するランク分けを行って使用している。そのため白色ＬＥＤの各個体の発光色のばらつきは、少数のバックライトユニットでは同一のランクの白色ＬＥＤを用いることで抑えることが可能である。しかし、同一ランクの白色ＬＥＤを多量に得ることは困難であるため、大量に生産されるバックライトユニット毎の発光色のばらつきを抑えるのは困難であった。そのため、特許文献１では白色ＬＥＤの順方向電流を制御して発光色調を調整する色調調整回路が提案されている。また、特許文献２では白色ＬＥＤの白色の色度を補正する色補正フィルタが提案されている。
【特許文献１】特開２００１−２７２９３８号公報（第２頁−第３頁、図１）
【特許文献２】特開２００４−１１７５４２号公報（第３頁−第６頁、図２）
【発明の開示】
【発明が解決しようとする課題】
【０００５】
しかし、特許文献１で提案された方法では、色度を変化させるためには電流を大きく変化させなければならず、所望の色度を得られても所望の輝度を得られないことがある。また、特許文献２で提案された方法では、白色ＬＥＤの色度に合わせた色補正フィルタを個別に調製しなければならないため、大量のバックライトユニットについて正確に補正するのは困難である。色度に応じて何種類かのフィルタを用意したとしても、そのフィルタによる補正は段階的なものとなる。
【０００６】
そこで本発明は、所望の色度の白色ＬＥＤを得られなくても、所望の色度、輝度の白色の発光を容易に得られる照明装置を提供することを目的とする。
【課題を解決するための手段】
【０００７】
上記目的を達成するため本発明は、ＬＥＤと、前記ＬＥＤの発光を制御する制御装置とを備え、出射光が白色である照明装置において、前記ＬＥＤが白色ＬＥＤと、青色ＬＥＤとからなり、前記制御装置は前記白色ＬＥＤと前記青色ＬＥＤの発光を独立して制御することが可能であることを特徴とする。
【０００８】
また本発明は、上記構成の照明装置において、前記白色ＬＥＤと前記青色ＬＥＤとを隣接して配置することを特徴とする。
【０００９】
また本発明は、前記ＬＥＤの発光を制御する制御装置とを備え、出射光が白色である照明装置において、前記ＬＥＤが白色ＬＥＤチップと青色ＬＥＤチップとを備え、前記制御装置は前記白色ＬＥＤチップと前記青色ＬＥＤチップの発光を独立して制御することが可能であることを特徴とする。
【００１０】
また本発明は、前記ＬＥＤが前記白色ＬＥＤチップと前記青色ＬＥＤチップとを囲む枠体を備え、前記枠体が前記白色ＬＥＤチップと前記青色ＬＥＤチップとを区分する仕切りを有することを特徴とする。
【００１１】
また本発明は、上記構成の照明装置において、側面から入射した光を出射面から出射する板状の導光体を備え、前記ＬＥＤが前記導光体の側面に列状に配置されたことを特徴とする。
【００１２】
また本発明は、上記構成の照明装置において、前記ＬＥＤが平面状に配置されたことを特徴とする。
【００１３】
また本発明は、上記構成の照明装置において、前記出射光の色度を測定する色測定装置を備え、前記色測定装置の出力に基づいて前記制御装置が前記ＬＥＤの発光を制御することを特徴とする。
【００１４】
また本発明の液晶表示装置は、液晶パネルと、前記液晶パネルの背面に配置された上記構成の照明装置とを備えることを特徴とする。
【発明の効果】
【００１５】
本発明によると、白色ＬＥＤが所望の色度に発光するものでなくても、その白色ＬＥＤに加えて青色ＬＥＤを設け、それぞれの発光を制御することにより、照明装置の白色の発光を容易に所望の色度、色度とすることができる。
【００１６】
また、本発明によると、白色ＬＥＤと青色ＬＥＤとを隣接して配置することにより各々のＬＥＤが出射した光を均一に混合することができ、照明装置の出射する光を色むらの少ないものとすることができる。
【００１７】
また本発明によると、照明装置を、板状の導光体を備えたサイドライト型または白色ＬＥＤが平面状に配置された直下型とすることができる。
【００１８】
また本発明によると、照明装置の出射する光を表示に適した色度に調整することにより、表示品位の高い液晶表示装置を得ることができる。
【発明を実施するための最良の形態】
【００１９】
〈第１の実施形態〉
本発明の第１の実施形態について、図を用いて説明する。図１は本発明の第１の実施形態にかかる液晶表示装置の概略構成図、図２は本発明の第１の実施形態にかかるバックライトの平面図、図３は本発明の第１の実施形態にかかるバックライトの側面図である。
【００２０】
図１に示すように、液晶表示装置１０は、液晶パネル２０と、照明装置としてのバックライト３０と、制御装置５０とを備える。液晶パネル２０は、ＴＦＴ基板と対向基板とその間に封入された液晶とを備え、制御装置５０からの信号に基づいて両基板に電圧を印加することにより液晶の配向を制御し、画像を表示する。バックライト３０は液晶パネル２０の背面に配置され、出射面から出射する白色光によって液晶パネル２０に表示された画像を照射する。バックライト３０と液晶パネル２０との間には、ＬＥＤ４０が出射し、導光体３６の出射面３６ａから出射する光の色度を測定する色測定装置３９を備える。色測定装置３９は、例えばフォトダイオードからなるものである。また、制御装置５０は、液晶パネル２０のみならずバックライト３０に流す電流をも制御する。制御装置５０は、バックライト３０に流す電流を制御する際に、初期設定された所定の制御のみならず、色測定装置３９の出力を受信してそれに基づいて制御を行うことも可能である。
【００２１】
本実施形態のバックライト３０は、図２および図３に示すように、光源部３３と板状の導光体３６と反射シート３７と拡散シート３８とを備えるサイドライト型のものである。光源部３３は、ＦＰＣ（Ｆｌｅｘｉｂｌｅ  Ｐｒｉｎｔｅｄ  Ｃｉｒｃｕｉｔ  Ｂｏａｒｄ；フレキシブルプリント配線板）３４と、ＦＰＣ３４上に配置されたＬＥＤ４０とを備え、ＬＥＤ４０から出射された光が導光体３６の側面に入射するように配置されている。また、反射シート３７は導光体３６の液晶パネル２０に対向する面の反対側の面に設けられており、拡散シート３８は導光体３６の液晶パネル２０に対向する面である出射面３６ａに設けられている。光源部３３、導光体３６、反射シート３７および拡散シート３８は、下フレーム３１ａおよび上フレーム３１ｂからなるフレーム３１によって覆われている。下フレーム３１ａは上フレーム３１ｂの内側にはめ込むものであり、その内面にはＦＰＣ３４および反射シート３７が固定されている。上フレーム３１ｂは、導光体３６の出射面３６ａが露出するように開口部を有する。ただし、図２では上フレーム３１ｂおよび拡散シート３８はバックライト３０の構造をわかりやすく示すため省略している。なお、ＬＥＤ４０の実装はＦＰＣ３４上に限定されるものではなく、硬質基板上に実施しても構わない。
【００２２】
光源部３３のＬＥＤ４０から出射した光は、導光体３６の側面に入射し、導光体３６の内部を伝播し、出射面３６ａから白色光として出射する。出射面３６ａから出射した白色光は、拡散シート３８によって拡散され、均一となる。導光体３６から反射シート３７側に出射した光も、反射シート３７によって反射されることで再び導光体３６に入射し、その内部を伝播し、出射面３６ａから出射する。導光体３６の反射シート３７側の面には、出射面３６ａから出射する光の明るさが一定となるように凹凸や印刷によるパターンが形成されている。
【００２３】
ここで白色光について図４の色度図を用いて説明する。図４において、中央部の破線の楕円が白色の領域６０である。白色領域６０の内部においても場所によって白色の色調が異なり、白色領域６０の右上の色度では黄色、左下では青色がかかった白色である。液晶パネル２０を照射する光としては、青色がかかった白色である白色領域６０の左下付近の実線の楕円で示した色度が好ましい。本実施形態ではこの色度を目標色度６５とする。なお、目標色度６５は、図４において示したものに限られず、液晶表示装置１０を用いる場所や、使用者の好みなどに応じて適宜変更して構わない。
【００２４】
本実施形態において、ＬＥＤ４０は、発する光が白色領域６０に属する白色ＬＥＤ４０ａと、発する光が図４に示す青色領域６２に属する青色ＬＥＤ４０ｂとからなるものである。白色ＬＥＤ４０ａと青色ＬＥＤ４０ｂとは独立して制御装置５０によって通電が制御され、輝度が調整される。これは、白色ＬＥＤ４０ａと青色ＬＥＤ４０ｂとを電気的に独立して制御装置５０に接続することによって可能である。
【００２５】
このような接続方法としては、例えば図５に示すように、白色ＬＥＤ４０ａだけを直列に接続した白色ＬＥＤ群および青色ＬＥＤ４０ｂだけを直列に接続した青色ＬＥＤ群をそれぞれ独立して制御装置５０に接続する方法がある。なお、図５に示すように青色ＬＥＤ４０ｂを全て直列に接続して青色ＬＥＤ群を１個だけにしてもよいし、図６に示すように青色ＬＥＤ４０ｂを複数に分けて複数の青色ＬＥＤ群を設け、それぞれを独立して制御装置５０に接続してもよい。なお、図６では各青色ＬＥＤ群を構成する青色ＬＥＤ４０ｂは１個または２個としたが、青色ＬＥＤ群を構成する青色ＬＥＤ４０ｂの数はこれに限定されない。
【００２６】
白色ＬＥＤ４０ａと青色ＬＥＤ４０ｂとは、それぞれの発する光を均一に混合させ、出射面３６ａから出射する光の色むらを少なくするため、できるだけ分散して配置することが好ましい。例えば、白色ＬＥＤ４０ａと青色ＬＥＤ４０ｂとが略同数であれば、図２に示すように、白色ＬＥＤ４０ａと青色ＬＥＤ４０ｂとが交互となるように配置するのが好ましい。また、白色ＬＥＤ４０ａと青色ＬＥＤ４０ｂの数が異なる場合、少ない方のＬＥＤ４０をできるだけ等間隔に配置するのが好ましい。いずれの場合も、白色ＬＥＤ４０ａと青色ＬＥＤ４０ｂの発する光をより均一に混合させるため、白色ＬＥＤ４０ａと青色ＬＥＤ４０ｂとをできるだけ接するように隣接して配置するのが好ましい。
【００２７】
本実施形態において、液晶表示装置１０は電源投入時に制御装置５０の制御により、まず白色ＬＥＤ４０ａのみを所定の電流値で点灯し、色測定装置３９によって導光体３６の出射面３６ａから出射する光の色度を測定し、その出力を制御装置５０で受信する。続いて白色ＬＥＤ４０ａを点灯した状態で、青色ＬＥＤ４０ｂに電流を徐々に増大するように流して点灯し、色測定装置３９によって同様に光の色度を測定し、その出力を制御装置５０で受信する。次に、これらの測定結果に基づき、導光体３６の出射面３６ａから出射する光の色度を目標色度６５に近づけるように、白色ＬＥＤ４０ａに流す電流および青色ＬＥＤ４０ｂに流す電流を制御装置５０により決定する。白色ＬＥＤ４０ａの発する光の色度が黄色がかかっている場合、青色ＬＥＤ４０ｂの電流は、白色ＬＥＤ４０ａの発する光の色度が青色がかかっている場合に比べて大きくなる。また、青色ＬＥＤ４０ｂに流す電流の増大させた量に応じて、白色ＬＥＤ４０ａに流す電流を減少させるように制御することにより、出射面３６ａから出射する光の輝度を一定とすることができる。
【００２８】
このように構成することにより、購入した白色ＬＥＤの色度がばらついており、バックライト３０毎に異なる色度の白色ＬＥＤを用いなければならない場合や、１個のバックライト３０において異なる色度の白色ＬＥＤを用いなければならない場合でも、各バックライト３０の導光体３６の出射面３６ａから出射する光の色度を目標色度６５またはそれに近いものとすることが可能となる。さらに、白色ＬＥＤ４０ａに流す電流を減少させなくてもよいため、出射面３６ａから出射する光の輝度を低下させることもない。
【００２９】
なお、本実施形態において、光源部３３は、図３に示すように導光体３６の側面の一方だけに配置されていてもよいし、図７に示すように対向する両方の側面に配置されていてもよい。両方の側面に配置されている場合、各々の光源部３３における白色ＬＥＤ４０ａと青色ＬＥＤ４０ｂの配置および混合比は、目標色度６５への調整ができる範囲であればよく、一方の光源部３３は白色ＬＥＤ４０ａのみ、他方の光源部３３は青色ＬＥＤ４０ｂのみを備えるものとしてもよい。
【００３０】
光源部３３が配置される側面は、導光体３６の短辺の側面に限られず、図８に示すように長辺の側面であってもよいし、さらに短辺と長辺の両方の側面であってもよい。光源部３３を複数設けることによって、導光体３６の出射面３６ａから出射する光の輝度を向上させることができる。特に、導光体３６の長辺の側面に配置することにより、短辺の側面に配置する場合より多くのＬＥＤ４０を配置することができ、同様に導光体３６の出射面３６ａから出射する光の輝度を向上させることができる。このように、導光体３６の出射面３６ａから出射する光の輝度を向上させることにより、液晶表示装置１０の表示の品位を向上させることができる。
【００３１】
＜第２の実施形態＞
本発明の第２の実施形態について図を用いて説明する。図９は、第２の実施形態にかかるバックライトの平面図である。第２の実施形態は、バックライトの構成が異なる以外は第１の実施形態と同様であり、実質上同一の部分には同一の符号が付してある。
【００３２】
第２の実施形態にかかるバックライト３０は、図９に示すように、ＬＥＤ４０が実装された基板３２を備えた直下型のものであり、図１に示すように液晶パネル２０の背面に配置され、基板３２は液晶パネル２０とほぼ同じ大きさである。ＬＥＤ４０は基板３２上に、縦横に平面状に配置されている。
【００３３】
本実施形態においても、第１の実施形態と同様にＬＥＤ４０は、発する光が図４に示す色度図の白色領域６０に属する白色ＬＥＤ４０ａと、青色領域６２に属する青色ＬＥＤ４０ｂとからなり、白色ＬＥＤ４０ａと青色ＬＥＤ４０ｂとは独立して制御装置５０によって通電が制御され、輝度が調整される。
【００３４】
白色ＬＥＤ４０ａと青色ＬＥＤ４０ｂとの混合比は、出射面３６ａから出射する光を所定の輝度の目標色度６５に調整できるものであればよい。ここで、白色ＬＥＤ４０ａと青色ＬＥＤ４０ｂとは、それぞれの発する光を均一に混合させるため、図９に示すように、できるだけ均一に分散して配置されることが好ましい。
【００３５】
液晶表示装置１０は、第１の実施形態と同様に、バックライト３０と液晶パネル２０との間には、ＬＥＤ４０が出射した光の色度を測定する色測定装置３９を備える。
【００３６】
本実施形態において、液晶表示装置１０は、第１の実施形態と同様に電源投入時に制御装置５０の制御により、まず白色ＬＥＤ４０ａのみを所定の電流値で点灯し、色測定装置３９によって導光体３６の出射面３６ａから出射する光の色度を測定し、その出力を制御装置５０で受信する。続いて白色ＬＥＤ４０ａを点灯した状態で、青色ＬＥＤ４０ｂに電流を徐々に増大するように流して点灯し、色測定装置３９によって同様に光の色度を測定し、その出力を制御装置５０で受信する。次に、これらの測定結果に基づき、導光体３６の出射面３６ａから出射する光の色度を目標色度６５に近づけるように、白色ＬＥＤ４０ａに流す電流および青色ＬＥＤ４０ｂに流す電流を制御装置５０により決定する。
【００３７】
このように構成することにより、第１の実施形態と同様に、購入した白色ＬＥＤの色度がばらついており、バックライト３０毎に異なる色度の白色ＬＥＤを用いなければならない場合や、１個のバックライト３０において異なる色度の白色ＬＥＤを用いなければならないでも、各バックライト３０の導光体３６の出射面３６ａから出射する光の色度を目標色度６５に近いものとすることが可能となる。さらに、第１の実施形態のサイドライト方式と比べて多くのＬＥＤ４０を配置することができるため、バックライト３０の輝度を向上させることができ、液晶表示装置１０の表示の品位をより向上させることができる。
【００３８】
本実施形態において、図９ではＬＥＤ４０を長方格子状に配置した場合について示したが、ＬＥＤ４０の配置方法は長方格子状に限られず、正方格子状であってもよいし、図１０に示すように三角格子状であってもよい。三角格子状に配置した場合、１個のＬＥＤ４０には６個のＬＥＤ４０が隣接するため、白色ＬＥＤ４０ａと青色ＬＥＤ４０ｂとが略同数であるときなどには白色ＬＥＤ４０ａ同士まはた青色ＬＥＤ４０ｂ同士が隣接するのを避けることができない。この場合、白色ＬＥＤ４０ａと青色ＬＥＤ４０ｂの発する光を均一に混合させるため、例えば図１０の水平方向（図中Ａ方向）など、少なくとも一方向において、白色ＬＥＤ４０ａと青色ＬＥＤ４０ｂとを交互に配置するのが好ましい。また、白色ＬＥＤ４０ａと青色ＬＥＤ４０ｂの数が異なる場合、少ない方のＬＥＤ４０をできるだけ図１０のＡ方向およびＡ方向に垂直な方向に等間隔に配置するのが好ましい。いずれの場合も、白色ＬＥＤ４０ａと青色ＬＥＤ４０ｂの発する光をより均一に混合させるため、白色ＬＥＤ４０ａと青色ＬＥＤ４０ｂとをできるだけ接するように隣接して配置するのが好ましい。
【００３９】
＜第３の実施形態＞
本発明の第３の実施形態について図を用いて説明する。図１１は、第３の実施形態にかかるＬＥＤの概略構成図である。第３の実施形態は、ＬＥＤの構成が異なる以外は第１の実施形態または第２の実施形態と同様である。
【００４０】
本実施形態にかかるＬＥＤ４０は、図１１に示すように、透明樹脂からなる枠体４２と、２組のリードフレーム４３と、それぞれのリードフレーム４３に接続された端子４４と、白色ＬＥＤチップ４１ａと、青色ＬＥＤチップ４１ｂとを有する。なお、白色ＬＥＤチップ４１ａと青色ＬＥＤチップ４１ｂを総称してＬＥＤチップ４１とする。枠体４２の内部では、白色ＬＥＤチップ４１ａと青色ＬＥＤチップ４１ｂがそれぞれ図中左右に配置されたリードフレーム４３に配線４５によって接続されている。配線４５は、ボンディングワイヤーであり、例えば金からなるものを用いることができる。また、端子４４は枠体４２の外部に露出し、制御装置５０や隣接するＬＥＤ４０と接続するのに用いられる。図１１において枠体４２は断面を示している。なお、本実施形態にかかるバックライト３０は、サイドライト型のものであっても、直下型のものであってもよい。
【００４１】
本実施形態において、白色ＬＥＤチップ４１ａは発する光が図４に示す色度図の白色領域６０に属し、青色ＬＥＤチップ４１ｂは発する光が青色領域６２に属する。白色ＬＥＤチップ４１ａは、例えば通電した際に青色に発光するＬＥＤ素子を、光を照射すると青色の補色である黄色に発光する蛍光体を混入した樹脂で封止したものであり、この青色と黄色の光が混合して白色に発光する。青色ＬＥＤチップ４１ｂは、例えば通電した際に青色に発光するＬＥＤ素子を透明な樹脂で封止したものである。
【００４２】
白色ＬＥＤチップ４１ａと青色ＬＥＤチップ４１ｂとは独立して制御装置５０によって通電が制御され、輝度が調整される。これは、白色ＬＥＤチップ４１ａと青色ＬＥＤチップ４１ｂとを電気的に独立して制御装置５０に接続することによって可能である。白色ＬＥＤチップ４１ａと青色ＬＥＤチップ４１ｂとは別の端子４４に接続されているため、例えば、白色ＬＥＤチップ４１ａだけを直列に接続した白色ＬＥＤチップ群および青色ＬＥＤチップ４１ｂだけを直列に接続した青色ＬＥＤチップ群を設けることができ、各ＬＥＤチップ群を直接制御装置５０に接続することが可能である。なお、各ＬＥＤチップ群は複数設けても構わないし、各ＬＥＤチップ群をそれぞれ１個のＬＥＤチップからなるもの、すなわち各ＬＥＤチップを独立して制御装置５０で制御するものとしても構わない。
【００４３】
本実施形態では、液晶表示装置１０は電源投入時に制御装置５０の制御により、まずＬＥＤ４０の白色ＬＥＤチップ４１ａのみを点灯し、バックライト３０と液晶パネル２０との間に設けられた色測定装置３９によって、バックライト３０の出射した光の色度を測定し、その出力を制御装置５０で受信する。色測定装置３９は、液晶パネル２０の表示を妨害しない位置に配置されている。続いて白色ＬＥＤチップ４１ａを点灯した状態で、青色ＬＥＤチップ４１ｂに電流を徐々に増大するように流して点灯し、色測定装置３９によって同様に光の色度を測定し、その出力を制御装置５０で受信する。次に、これらの測定結果に基づき、導光体３６の出射面３６ａから出射する光の色度を目標色度６５に近づけるように、白色ＬＥＤチップ４１ａに流す電流および青色ＬＥＤチップ４１ｂに流す電流を制御装置５０により決定する。
【００４４】
このように構成することにより、購入した白色ＬＥＤチップの色度がばらついており、バックライト３０毎に異なる色度の白色ＬＥＤチップを用いなければならない場合や、１個のバックライト３０において異なる色度の白色ＬＥＤチップを用いなければならないでも、各バックライト３０の導光体３６の出射面３６ａから出射する光の色度を目標色度６５またはそれに近い色度とすることが可能となる。
【００４５】
本実施形態において、全てのＬＥＤ４０が白色ＬＥＤチップ４１ａと青色ＬＥＤチップ４１ｂとを備えるものとしてもよいし、一部のＬＥＤ４０は白色ＬＥＤチップ４１ａまたは青色ＬＥＤチップ４１ｂのいずれかを１個または複数備えるものとしてもよい。また、白色ＬＥＤチップ４１ａと青色ＬＥＤチップ４１ｂとを備えるＬＥＤ４０において、枠体４２は、図１２の本実施形態の別の態様にかかるＬＥＤの概略構成図に示すように、白色ＬＥＤチップ４１ａと青色ＬＥＤチップ４１ｂとを区分する仕切り４２ａを有するものであってもよい。
【００４６】
なお、第１〜第３の実施形態において、液晶表示装置１０の通電中または動作中に随時、色測定装置３９によって導光体３６の出射面３６ａから出射する光の色度を測定し、その出力に基づいて白色ＬＥＤ４０ａおよび青色ＬＥＤ４０ｂに流す電流または白色ＬＥＤチップ４１ａおよび青色ＬＥＤチップ４１ｂに流す電流を制御装置５０により調整してもよい。この場合、導光体３６の出射面３６ａから出射する光の色度が青色に偏っていれば白色ＬＥＤ４０ａもしくは白色ＬＥＤチップ４１ａの電流を増大または青色ＬＥＤ４０ｂもしくは青色ＬＥＤチップ４１ｂの電流を減少させればよく、黄色に偏っていれば青色ＬＥＤ４０ｂもしくは青色ＬＥＤチップ４１ｂの電流を増大または白色ＬＥＤ４０ａもしくは白色ＬＥＤチップ４１ａの電流を減少させればよい。
【００４７】
また、第１〜第３の本実施形態において、色測定装置３９を設けず、バックライトの製造時に、出射面３６ａから出射する光を受けるように設置した色度測定器により白色ＬＥＤ４０ａと青色ＬＥＤ４０ｂに流す電流または白色ＬＥＤチップ４１ａおよび青色ＬＥＤチップ４１ｂに流す電流をあらかじめ調整し、その調整した電流値を制御装置５０に記憶させてもよい。調整方法としては、例えば白色ＬＥＤ４０ａの電流を決まった値で点灯させ、次に出射面３６ａの色度を色度測定器によりモニターしながら青色ＬＥＤ４０ｂの電流を調整して出射面３６ａから出射する光の色度が目標色度６５またはそれに近い色度となるように調整する方法がある。
【図面の簡単な説明】
【００４８】
【図１】第１の実施形態にかかる液晶表示装置の概略構成図
【図２】第１の実施形態にかかるバックライトの平面図
【図３】第１の実施形態にかかるバックライトの正面図
【図４】白色領域および青色領域を示す色度図
【図５】第１の実施形態のＬＥＤと制御装置の接続形態を示すブロック図
【図６】第１の実施形態のＬＥＤと制御装置の別の接続形態を示すブロック図
【図７】第１の実施形態の別の態様にかかるバックライトの平面図
【図８】第１の実施形態の別の態様にかかるバックライトの平面図
【図９】第２の実施形態にかかるバックライトの平面図
【図１０】第２の実施形態の別の態様にかかるバックライトの平面図
【図１１】第３の実施形態にかかるＬＥＤの概略構成図
【図１２】第３の実施形態の別の態様にかかるＬＥＤの概略構成図
【符号の説明】
【００４９】
１０      液晶表示装置
２０      液晶パネル
３０      バックライト
３１      フレーム
３１ａ    下フレーム
３１ｂ    上フレーム
３２      基板
３３      光源部
３４      ＦＰＣ
３６      導光体
３６ａ    出射面
３７      反射シート
３８      拡散シート
３９      色測定装置
４０      ＬＥＤ
４０ａ    白色ＬＥＤ
４０ｂ    青色ＬＥＤ
４１      ＬＥＤチップ
４１ａ    白色ＬＥＤチップ
４１ｂ    青色ＬＥＤチップ
４２      枠体
４２ａ    仕切り
４３      リードフレーム
４４      端子
４５      配線
５０      制御装置
６０      白色領域
６２      青色領域
６５      目標色度
【図１】
2008153039.tif 000003
【図２】
2008153039.tif 000004
【図３】
2008153039.tif 000005
【図４】
2008153039.tif 000006
【図５】
2008153039.tif 000007
【図６】
2008153039.tif 000008
【図７】
2008153039.tif 000009
【図８】
2008153039.tif 000010
【図９】
2008153039.tif 000011
【図１０】
2008153039.tif 000012
【図１１】
2008153039.tif 000013
【図１２】
2008153039.tif 000014